(57)【要約】【課題】遊技の興趣を損なうことなく、遊技場の音声告知を好適に聞き取ることのできるパチンコ遊技機を提供する。【解決手段】機外から所定の信号の入力を受けるための信号入力手段を設け、該信号入力手段を介して所定の演出用音声抑制信号を受信すると、演出用音声の音量を一時的に低下させるか、又は、演出用音声を一時的に消音状態にするようにする。かかる構成にあっては、遊技場内で重要な情報を音声告知する際には、演出用音声を抑えることで、遊技者に告知内容を確実に伝えることができ、また、演出用音声は一時的に抑制されるだけであるから、音声告知終了後は、遊技者は元の音量の演出用音声で遊技を楽しむことができる。【選択図】図５
2012192110.tif 000002
【特許請求の範囲】
【請求項１】
遊技に合わせて演出用音声を出力するスピーカと、該スピーカの音声出力を制御する音声制御手段と、機外から所定の信号の入力を受けるための信号入力手段とを備え、
前記音声制御手段は、前記信号入力手段を介して所定の演出用音声抑制信号を受信すると、演出用音声の音量を一時的に低下させるか、又は、演出用音声を一時的に消音状態にする制御内容を備えることを特徴とするパチンコ遊技機。
【請求項２】
前記音声制御手段は、前記信号入力手段を介して所定の告知音声制御信号を受信すると、予め記憶部に記憶された所定の告知音声を前記スピーカから出力するとともに、該告知音声を出力している間は、演出用音声の音量を一時的に低下させるか、又は、演出用音声を一時的に消音状態にする制御内容を備えることを特徴とする請求項１に記載のパチンコ遊技機。
【請求項３】
前記告知音声は、遊技者に不正行為の停止を呼びかけるものであることを特徴とする請求項２に記載のパチンコ遊技機。
【請求項４】
前記告知音声は、遊技者に災害の発生を報知するものであること特徴とする請求項２に記載のパチンコ遊技機。
【請求項５】
請求項１乃至請求項４のいずれか１項に記載のパチンコ遊技機と、該パチンコ遊技機に向けて演出用音声抑制信号を送信する演出用音声抑制装置とを備えることを特徴とする遊技場設備。
【請求項６】
前記パチンコ遊技機は、大当りの発生時に所定の大当り信号を機外に出力する信号出力手段を備えており、
前記大当り信号に基づいて、複数のパチンコ遊技機の大当り発生を検知可能に構成されるとともに、前記演出用音声抑制装置に対して演出用音声抑制信号の送信を指示可能に構成され、一のパチンコ遊技機の大当り発生を検知すると、該パチンコ遊技機に隣接するパチンコ遊技機へ演出用音声抑制信号を送信するよう演出用音声抑制装置に指示する大当り時音声強調装置を備えることを特徴とする請求項５に記載の遊技場設備。
【発明の詳細な説明】
【技術分野】
【０００１】
本発明は、演出用音声を出力するスピーカを備えるパチンコ遊技機、及び該パチンコ遊技機を備える遊技場設備に関する。
【背景技術】
【０００２】
従来のパチンコ遊技機は、遊技に合わせて演出用音声を出力するスピーカを備えており、かかるスピーカから流れる演出用音声によって、遊技の興趣を高めている。こうしたスピーカの音量は、通常、遊技場のスタッフや遊技者が調節できるようになっている。また、周囲の騒音レベルに応じて音量を調節可能としたものも知られている（例えば、特許文献１）。
【先行技術文献】
【特許文献】
【０００３】
【特許文献１】特開２００６−６８０３７号公報
【発明の概要】
【発明が解決しようとする課題】
【０００４】
上記のように、演出用音声の音量を調節可能としたパチンコ遊技機は知られているが、これらは、遊技者の好みや周囲の騒音レベルに合わせて演出用音声の音量を調節可能なだけである。演出用音声の音量が小さいと遊技が盛り上がりに欠けたものとなるため、遊技場も遊技者も音量を高めに設定していることが殆どであり、結局のところ、遊技場では、演出用音声が常に大音量で鳴り響いている。
【０００５】
そして、このように、従来の遊技場では、演出用音声が大音量で流れているため、場内の音声告知が聴き難いという問題がある。イベント告知などの重要性の低いものであれば聞き逃しても支障はないが、災害発生時のアナウンスなどの重要性の高いものについては、遊技者に確実に伝えなければならない。
【０００６】
本発明は、かかる現状に鑑みてなされたものであり、遊技の興趣を損なうことなく、遊技場の音声告知を好適に聞き取ることのできるパチンコ遊技機の提供を目的とする。
【課題を解決するための手段】
【０００７】
本発明は、遊技に合わせて演出用音声を出力するスピーカと、該スピーカの音声出力を制御する音声制御手段と、機外から所定の信号の入力を受けるための信号入力手段とを備え、前記音声制御手段は、前記信号入力手段を介して所定の演出用音声抑制信号を受信すると、演出用音声の音量を一時的に低下させるか、又は、演出用音声を一時的に消音状態にする制御内容を備えることを特徴とするパチンコ遊技機である。
【０００８】
かかる構成にあっては、重要な情報を音声告知する場合には、遊技場の設備機器から場内のパチンコ遊技機の信号入力端子に対して演出用音声抑制信号を送信することで、パチンコ遊技機の演出用音声の音量を減少又は消音することができ、これにより、遊技者に重要な音声情報を確実に伝えることが可能となる。
【０００９】
本発明にあって、前記音声制御手段は、前記信号入力手段を介して所定の告知音声制御信号を受信すると、予め記憶部に記憶された所定の告知音声を前記スピーカから出力するとともに、該告知音声を出力している間は、演出用音声の音量を一時的に低下させるか、又は、演出用音声を一時的に消音状態にする制御内容を備える構成が提案される。かかる構成にあっては、パチンコ遊技機のスピーカから告知音声を流すことによって、遊技者が最も聞き取りやすい、遊技者の正面から告知音声を流すことができる。また、告知音声は、内容が同じでも、機種ごとに異なる音声を流すことができるため、機種の特徴に応じた告知音声を流すことで、遊技者の注意を引きつけ易いという利点もある。また、告知音声の出力と演出用音声の抑制とを同じパチンコ遊技機で実行させることで、演出用音声の音量抑制を、告知音声を流す期間と同期させ易く、演出用音声の音量抑制期間を最低限に留めておくことができるという利点もある。
【００１０】
本発明にあって、前記告知音声は、遊技者に不正行為の停止を呼びかけるものである構成が提案される。不正行為としては、機台を過度に振動させる行為などが挙げられる。また、前記告知音声は、遊技者に災害の発生を報知するものである構成も提案される。具体的には、地震や火災の発生を報知することが挙げられる。
【００１１】
本発明にあって、演出用音声抑制信号や告知音声制御信号に基づく演出用音声の音量低下は、演出用音声の音量を一律に低減するものに限らず、複数スピーカのうち一部の音量を低下・消音するものや、特定種類の演出用音声の音量のみを低下・消音するものを含む。
【００１２】
本発明の別の態様は、上記パチンコ遊技機と、該パチンコ遊技機に向けて演出用音声抑制信号を送信する演出用音声抑制装置とを備えることを特徴とする遊技場設備である。かかる遊技場設備によれば、上記パチンコ遊技機を利用して、遊技場の音声告知を遊技者に確実に聞き取らせることが可能となる。
【００１３】
また、かかる遊技場設備にあって、前記パチンコ遊技機は、大当りの発生時に所定の大当り信号を機外に出力する信号出力手段を備えており、前記大当り信号に基づいて、複数のパチンコ遊技機の大当り発生を検知可能に構成されるとともに、前記演出用音声抑制装置に対して演出用音声抑制信号の送信を指示可能に構成され、一のパチンコ遊技機の大当り発生を検知すると、該パチンコ遊技機に隣接するパチンコ遊技機へ演出用音声抑制信号を送信するよう演出用音声抑制装置に指示する大当り時音声強調装置を備える構成が提案される。かかる構成にあっては、遊技場のパチンコ遊技機で大当りが発生すると、少なくとも当該機台に隣接するパチンコ遊技機の演出用音声が音量低下、又は消音状態となり、これにより、当該機台の大当りに係る演出用音声を、音量を上昇させることなく際立たせることが可能となる。
【発明の効果】
【００１４】
以上に述べたように、本発明によれば、重要な情報を告知する場合には、機外からパチンコ遊技機に演出用音声抑制信号を送信し、当該パチンコ遊技機の演出用音声を一時的に抑制することで、重要な音声情報を遊技者に確実に聞き取らせることができる。一方で、本発明にあっては、演出用音声は一時的に抑制されるだけであるから、音声告知終了後は、遊技者は元の音量の演出用音声で遊技を楽しむことができる。
【図面の簡単な説明】
【００１５】
【図１】パチンコ遊技機１の正面図である。
【図２】遊技盤１０の正面図である。
【図３】（ａ）は、パチンコ遊技機１の背面図であり、（ｂ）は、（ａ）のＡ部分の拡大図である。
【図４】遊技を制御する制御回路を示すブロック図である。
【図５】演出用音声の音量制御態様を示すタイミングチャートである。
【図６】遊技場設備７０の概略図である。
【発明を実施するための形態】
【００１６】
本発明の実施形態を、以下の実施例に従って説明する。
【００１７】
本実施例のパチンコ遊技機１は、図１に示すように、遊技場設備に固定される外枠２と、この外枠２の前面開口部を覆う遊技機本体３とからなる。遊技機本体３は、中央上部の略円形の開口部に遊技盤１０が取り付けられた前枠５を備え、この前枠５の一側縁がヒンジ部材４，４を介して外枠２に開閉可能に枢着されている。また、前枠５の下部には、上受皿７と下受皿８とが上下に列設されており、下受皿８の右側方に発射ハンドル９が突設される。本発明に係るスピーカ６ａ〜６ｃは、前枠５の上部両側と下部中央の合計３箇所に設けられている。
【００１８】
図２に示すように、遊技盤１０の前面には、遊技球を転動流下させる略円形の遊技領域１２が区画形成されている。そして、遊技領域１２の中央から右側部分には、樹脂製のセンターケース１３が配設される。センターケース１３には、表示画面１５を備える画像表示器１４が配設される。この画像表示器１４は、主に演出画像を表示するものであり、ＣＲＴや液晶表示器、有機ＥＬなどによって構成される。また、センターケース１３には、画像表示器１４以外に、演出時に発光する演出用ＬＥＤ（発光ダイオード）１６や、入賞装置１７ａ、演出時に回転駆動される演出用役物１８、特別図柄表示装置１９などが組み付けられる。また、遊技領域１２には、センターケース１３の周囲に、入賞装置１７ｂ，１７ｃ，１７ｄやゲート装置２１、遊技釘２０などの各種の遊技部材が設けられる。
【００１９】
また、パチンコ遊技機１の背面側には、図３（ａ）に示すように、電子基板を収納した基板ケース２２が複数配設される。基板ケース２２に収納された各電子基板は、ワイヤーハーネス（図示省略）によって相互接続されている。ここで、遊技機背面の左側に設けられる音源制御基板６６には、図３（ｂ）に示すように、スピーカ６ａ〜６ｃから出力する演出用音声の音量を調節するための調節ツマミ２４が設けられており、基板ケース２２から露出している。また、遊技機背面側の右下部に設けられる外部端子基板６９は、機外装置に信号を出力するためのコネクタと、機外装置からの信号を入力するためのコネクタを多数具備している。本発明に係る演出用音声抑制信号等は機外から外部端子基板６９に入力され、本発明に係る大当り信号は外部端子基板６９から機外に出力される。
【００２０】
かかるパチンコ遊技機１は、既存一般のパチンコ遊技機と同様の遊技内容を有している。すなわち、入賞装置１７ｂに設けられた始動口に遊技球が入賞すると、特別図柄表示装置１９が点滅して特別図柄が変動表示され、一定時間経過後に変動表示が停止する。そして、変動停止した時の特別図柄の停止態様が所定の大当り態様であった場合には、大入賞口を備える入賞装置１７ｃが所定時間開閉作動する大当り遊技が実行されることとなる。
【００２１】
そして、上記画像表示器１４の表示画面１５には、遊技の進行に合わせて図柄やキャラクターなどの演出画像が表示される。例えば、特別図柄が変動表示されている間は、表示画面１５で演出図柄が変動表示され、時折リーチ演出画像や予告演出画像などが表示されることによって、遊技者の大当りへの期待感を盛り上げる。また、大当り遊技中には大当り用の演出画像が表示画面１５に表示され、大当り遊技を盛り上げる。また、演出画像の表示と並行して、演出用ＬＥＤ１６が発光・点滅するとともに、演出用役物１８が適宜タイミングで駆動する。さらに、これらと並行するように、スピーカ６ａ〜６ｃから逐次演出用音声が出力されることで、画像、光、音声などを組み合わせた盛大な演出が行われる。
【００２２】
次に、本実施例のパチンコ遊技機の遊技作動を制御する制御回路を、図４を参照して説明する。
【００２３】
マイクロコンピュータを構成する主制御基板６０には、パチンコ遊技機の遊技作動等を制御するための基板回路が設けられる。この主制御基板６０は、遊技の統括的な制御を実行するものである。この基板回路上には主制御用中央制御装置ＣＰＵが配設される。この主制御用中央制御装置ＣＰＵには、演算処理に用いる動作プログラムを格納する記憶装置ＲＯＭと、必要なデータを随時読み書きできる記憶装置ＲＡＭとが、データを読み書きするアドレスを指定する情報を一方的に伝えるアドレスバス（図示省略）と、データのやり取りを行うデータバス（図示省略）を介して接続され、主制御基板６０の基板回路を構成している。
【００２４】
記憶装置ＲＯＭには、制御プログラムや、抽選の当落判定や演出態様等を決定するための各種テーブルが格納される。一方、記憶装置ＲＡＭには、各種球検知スイッチからの球検知信号等が一時的に記憶される記憶エリア、各種のタイマや乱数カウンタ、計数カウンタ等を構成するレジスタ領域、及びワークエリア等が設けられている。
【００２５】
さらに、この主制御基板６０の基板回路には、所定のクロックパルスを出力するクロック装置（図示省略）が設けられ、主制御用中央制御装置ＣＰＵに接続されている。そして主制御用中央制御装置ＣＰＵは、一定間隔のクロックパルスによって時系列的に演算処理を行い、一連の処理作動を順次実行する。また、このクロック装置により出力されたクロックパルスをカウントして、時間を計測するタイマＴＭも接続される。
【００２６】
ここで主制御用中央制御装置ＣＰＵ、及び後述する各制御基板６２〜６８に設置される各中央制御装置ＣＰＵは、所定のデータの処理を行う演算ユニット（ＡＬＵ）を連成した演算装置と、この演算装置に入出力するデータや読み込んだ命令を保管しておくレジスタと、命令を解読するデコーダ等によって構成されている。そして、この主制御用中央制御装置ＣＰＵは、所定の形式で生成したデータ又はコマンドを三つの制御基板６２，６３，６４，６８へ出力し、これらの制御基板６２，６３，６４，６８の中央制御装置ＣＰＵがこのデータ等に従って所定の制御を処理実行することとなる。
【００２７】
また、この主制御基板６０の基板回路には、主制御用中央制御装置ＣＰＵが周辺機器とデータ通信を行う入力ポート（図示省略）及び出力ポート（図示省略）が設けられており、この出力ポートを介して主制御基板６０からの制御指令が、演出制御基板６２、図柄制御基板６３、払出制御基板６４，及び発射制御基板６８の各入力ポートに向けて出力されるように接続されている。また、主制御基板６０の入力ポートには、盤面中継基板６１を介して、入賞装置１７ａ〜１７ｄやゲート装置２１等が接続される。そして、主制御基板６０が２ｍｓごとに、これらに内蔵された各スイッチの遊技球検出状態を調べ、遊技球検出があると、その球検出信号が波形整形回路により波形整形されて主制御用中央制御装置ＣＰＵに入力され、その情報を記憶装置ＲＡＭに記憶する。また、主制御基板６０の出力ポートには、盤面中継基板６１を介して電動式の入賞装置１７ａ〜１７ｃや演出用役物１８等が接続されており、主制御用中央制御装置ＣＰＵが所定の条件を選出した場合に、これらに内蔵されたソレノイドやモータを作動させる。
【００２８】
上記の演出制御基板６２には、パチンコ遊技機１で実行される演出全般を制御するための基板回路が設けられる。この基板回路は、演出を制御処理する演出制御用中央制御装置ＣＰＵに、多岐にわたる演出態様に関する固定データが格納されている記憶装置ＲＯＭと、必要なデータを読み書きできる記憶装置ＲＡＭと、入力ポート及び出力ポートとが接続されて構成されている。演出制御基板６２の出力ポートには、画像表示器１４を制御する画像制御基板６５、音声演出を制御する音源制御基板６６、及びＬＥＤランプによる演出を制御する光源制御基板６７が接続されている。そして、演出制御基板６２は、主制御基板６０からの演出コマンドが入力ポートに入力されると、演出制御用中央制御装置ＣＰＵにおいて演算処理し、該演出コマンドで指示された演出態様を実行するために、画像制御基板６５、音源制御基板６６、及び光源制御基板６７へ向けて制御コマンドを送信する。
【００２９】
上記の画像制御基板６５には、画像表示器１４の表示態様を制御するための基板回路が設けられる。この基板回路は、表示態様を制御処理する画像制御用中央制御装置ＣＰＵに、その表示態様に関する固定データが格納されている記憶装置ＲＯＭと、必要なデータを読み書きできる記憶装置ＲＡＭと、入力ポート及び出力ポートとが接続されて構成されている。画像制御基板６５は、演出制御基板６２から入力ポートを介して入力されたデータ又はコマンドを画像制御用中央制御装置ＣＰＵにおいて演算処理し、所定の表示態様を表示するデータを画像表示器１４に出力する。
【００３０】
上記の音源制御基板６６には、スピーカ６ａ〜６ｃから出力する演出用音声等を制御するための基板回路が設けられる。この基板回路は、音響を制御する音源制御用中央制御装置ＣＰＵに、動作プログラムや音声データ等の固定データが格納されている記憶装置ＲＯＭと、必要なデータを読み書きする記憶装置ＲＡＭと、入力ポート及び出力ポートとが接続されて構成されている。この音源制御基板６６は、上記の演出制御基板６２より入力ポートを介して入力されたデータ又はコマンドを音源制御用中央制御装置ＣＰＵで演算処理し、所定の音声データを出力ポートからスピーカ６ａ〜６ｃに出力する。すなわち、かかる音源制御基板６６は、本発明に係る音声制御手段を構成するものであり、音声データを記憶する記憶装置ＲＯＭは、音声制御手段の記憶部を構成するものである。
【００３１】
上記の光源制御基板６７には、遊技機本体３に配設された多数の演出用ＬＥＤ１６を制御するための基板回路が設けられている。この基板回路は、演出用ＬＥＤ１６の点灯、点滅等を制御する光源制御用中央制御装置ＣＰＵに、動作プログラムや、演出ランプを所定の発光態様に従って発光させるための発光パターン等の固定データが格納されている記憶装置ＲＯＭと、必要なデータを読み書きする記憶装置ＲＡＭと、入力ポート及び出力ポートとが接続されて構成されている。この光源制御基板６７は、光源制御用中央制御装置ＣＰＵで、上記の演出制御基板６２から入力ポートを介して入力されたデータ又はコマンドを演算処理し、所定の光データを、出力ポートを介して、演出用ＬＥＤ１６を発光作動するドライバを配した光源作動基板に出力し、この光源作動基板が、各種の演出用ＬＥＤ１６を点灯、点滅させる。
【００３２】
上記の図柄制御基板６３には、特別図柄表示装置１９を制御するための基板回路が設けられている。この基板回路は、特別図柄表示装置１９のＬＥＤの点灯、点滅等を制御する図柄制御用中央制御装置ＣＰＵに、動作プログラムや、ＬＥＤを所定の発光態様に従って発光させるための発光パターン等の固定データが格納されている記憶装置ＲＯＭと、必要なデータを読み書きする記憶装置ＲＡＭと、入力ポート及び出力ポートとが接続されて構成されている。この図柄制御基板６３は、図柄制御用中央制御装置ＣＰＵで、上記の主制御基板６０から入力ポートを介して入力されたデータ又はコマンドを演算処理し、所定の光データを、出力ポートを介して、特別図柄表示装置１９のＬＥＤを発光作動するドライバを配した図柄作動基板に出力し、この図柄作動基板が、特別図柄表示装置１９のＬＥＤを点灯、点滅させる。
【００３３】
上記の払出制御基板６４には、遊技球の貸球や賞球等の払出しを制御するための基板回路が設けられている。この基板回路は、貸球ユニットや賞球ユニット等の各種ソレノイドを作動して、所定の貸球や賞球の供給を制御する払出制御用中央制御装置ＣＰＵに、動作プログラム、賞球や貸球の球数パターン等の固定データが格納されている記憶装置ＲＯＭと、球数カウントデータ等の必要なデータを読み書きする記憶装置ＲＡＭと、入力ポート及び出力ポートとが接続されて構成されている。この払出制御基板６４は、主制御基板６０から入力されたデータ又はコマンドに従い、払出制御用中央制御装置ＣＰＵで演算処理し、所定のデータを、出力ポートを介して払出中継基板に送信し、このデータにより貸球ユニットや賞球ユニット等の各種ソレノイドを作動し、所定の貸球や賞球の払出しを実行する。また、払出制御基板６４は、遊技球の貸球を記憶したプリペイドカードの読込みや書込みを行う機外装置であるプリペイドカードユニットと、このプリペイドカードのデータ処理を中継するＣＲ接続基板を介して接続され、遊技球の残球データ等をやり取りする。
【００３４】
上記の発射制御基板６８には、発射装置を制御するための基板回路が設けられている。この基板回路は、動作プログラム等が格納されている記憶装置ＲＯＭと、入出力信号等を一時的に記憶する記憶装置ＲＡＭと、入力ポート及び出力ポートとが接続されて構成されている。発射制御基板６８の入力ポートには、発射ハンドル９に内蔵された回動角度検知センサから発射ハンドル９の現在角度に応じた電圧信号が入力される。発射制御基板６８の出力ポートには発射装置が接続されており、発射制御基板６８は、発射ハンドル９からの入力信号に応じた電圧強度で、発射装置に内蔵されたロータリーソレノイドを間欠的に駆動することで、発射ハンドル９の現在角度に応じた強さで遊技球を立て続けに打圧発射する。
【００３５】
また、上述のように、パチンコ遊技機１は、外部機器と信号を入出力するための外部端子基板６９を備えている。この外部端子基板６９は、主制御基板６０の出力ポートと接続されており、主制御基板６０が、各種の遊技情報を、外部端子基板６９を経由して機外に出力し得るようになっている。例えば、大当り発生時には、主制御基板６０は、大当り発生を示す大当り信号を機外に出力して、データ表示ユニット等に大当りの発生を報知する。また、外部端子基板６９は、音源制御基板６６の入力ポートとも接続されており、外部機器から入力される音声制御関連の信号を、外部端子基板６９を介して音源制御基板６６に送信し得るよう構成されている。すなわち、かかる外部端子基板６９は、本発明に係る信号入力手段を構成するものである。
【００３６】
以下に、本発明の要部に係る構成について説明する。
【００３７】
本発明に係る演出用音声は、パチンコ遊技機１に配設される３つのスピーカ６ａ〜６ｃから出力される。図４に示すように、各スピーカ６ａ〜６ｃは、音源制御基板６６と接続されており、スピーカ６ａ〜６ｃが出力する音声は、音源制御基板６６によって制御される。音源制御基板６６の記憶装置ＲＯＭには、演出用音声データが多数記憶されており、演出制御基板６２からの制御信号にしたがって、所要の演出用音声データをＲＡＭに展開して各スピーカ６ａ〜６ｃへ送信し、各スピーカ６ａ〜６ｃに所要の演出用音声を出力させる。
【００３８】
音源制御基板６６は、スピーカ６ａ〜６ｃが出力する演出用音声の音量レベルを、「消音」、「小」、「中」、「大」の三段階で制御可能となっており、「消音」では、演出用音声を全く出力せず、音量レベルが「小」から「大」になるにつれて、各スピーカ６ａ〜６ｃの演出用音声の音量が増大するよう構成される。この音量レベルは、音源制御基板６６に設けられた調節ツマミ２４によって、「小」、「中」、「大」のいずれかに設定される。
【００３９】
また、音源制御基板６６の記憶装置ＲＯＭには、演出用音声データ以外に、２種類の告知音声データが記憶される。第一の告知音声データは、「台を叩かないで下さい」という、台を叩いて振動させる不正行為を中止するよう促すものである。第二の告知音声データは、「近くで地震が発生しました。強い揺れに注意して下さい。」という、地震発生を遊技者に呼びかけるものである。この告知音声は、演出用音声とは異なり、機外から制御信号が入力された時のみスピーカ６ａ〜６ｃから出力される。また、告知音声の音量は、演出用音声の音量レベルとは無関係に常に大きめの音量で出力される。また、告知音声には、当該機種の演出用音声の担当声優の音声が使用されている。このように、本実施例のパチンコ遊技機では、告知音声を他機種と差別化し、また、当該機種の演出用音声と関連付けることで、遊技者の注意を告知音声に強く引き付けることができる。
【００４０】
上記外部端子基板６９には、信号入力用コネクタが４つ設けられており、機外から下記の４種類の信号が、外部端子基板６９を経由して、音源制御基板６６に送信されるよう構成されている。
・第一演出用音声抑制信号
・第二演出用音声抑制信号
・第一告知音声制御信号
・第二告知音声制御信号
【００４１】
音源制御基板６６は、第一演出用音声抑制信号を受信すると、調節ツマミ２４によって設定された演出用音声の音量レベルを一時的に１段階低下させる。例えば、図５（ａ）に示すように、音量レベルが「大」に設定されている場合には、第一演出用音声抑制信号を受信している間は音量レベルを１段階下の「中」にする。また、音量レベルが最小レベル「小」に設定されている場合は、第一演出用音声抑制信号を受信している間、演出用音声を消音状態にする。演出用音声の低減や消音は、第一演出用音声抑制信号を受信している間、継続し、第一演出用音声抑制信号がなくなると元の音量レベルで演出用音声を出力する。
【００４２】
一方、音源制御基板６６は、第二演出用音声抑制信号を受信すると、図５（ｂ）に示すように、演出用音声の設定音量レベルに関わらず、演出用音声を消音状態にする。演出用音量の消音は、第二演出用音声抑制信号がなくなるまで継続し、該信号がなくなると消音状態が解除され、設定音量レベルで演出用音声の出力が再開される。このように、第二演出用音声抑制信号は、第一演出用音声抑制信号に比して、演出用音声を強く抑制するものであり、比較的重要性の高い場内アナウンスを行うのに適している。
【００４３】
第一告知音声制御信号は、パチンコ遊技機１のスピーカ６ａ〜６ｃから、上記第一の告知音声を出力させるためのものである。具体的には、音源制御基板６６は、第一告知音声制御信号を受信すると、図５（ｃ）に示すように、該信号を受信している間、演出用音声の音量レベルを設定音量レベルから１段階低下させる。さらに、音源制御基板６６は、第一告知音声制御信号を受信している間、「台を叩かないで下さい」という第一の告知音声をスピーカ６ａ〜６ｃから繰返し出力する。
【００４４】
第二告知音声制御信号は、パチンコ遊技機１のスピーカ６ａ〜６ｃから、上記第二の告知音声を出力させるためのものである。具体的には、音源制御基板６６は、第二告知音声制御信号を受信すると、図５（ｄ）に示すように、該信号を受信している間、演出用音声の音量レベルを設定音量レベルに関わらず消音状態にする。さらに、音源制御基板６６は、第二告知音声制御信号を受信している間、「近くで地震が発生しました。強い揺れに注意して下さい。」という、第二の告知音声をスピーカ６ａ〜６ｃから繰返し出力する。
【００４５】
次に、上記パチンコ遊技機１を具備する遊技場設備７０の一実施例について、図６を参照して説明する。
【００４６】
実施例の遊技場設備７０は、複数の遊技島７２を備えている。各遊技島７２には上記パチンコ遊技機１が複数固着される。各パチンコ遊技機１の直上位置にはそれぞれデータ表示ユニット７４が配設され、また、各パチンコ遊技機１にはカードユニット７５が隣設される。
【００４７】
遊技場設備７０は、パチンコ遊技機１ごとに配設される台管理装置７８と、遊技島７２ごとに配設される島管理装置７９と、遊技場の管理事務所等に設けられる中央管理装置８０とを備えている。また、遊技場設備７０は、遊技場内に設置されたＬＡＮ（ローカルエリアネットワーク）７１を備えている。前記管理装置７８，７９，８０は、このＬＡＮ７１に接続されて相互に通信可能となっている。
【００４８】
台管理装置７８は、パチンコ遊技機１毎に一台ずつ設けられる。台管理装置７８は、データ表示ユニット７４を介してパチンコ遊技機１と接続されており、データ表示ユニット７４を介してパチンコ遊技機１の出力する大当り信号などを受信する。また、台管理装置７８はカードユニット７５が出力する売上情報なども受信する。そして、台管理装置７８は、受信したこれらの信号を島管理装置７９へ送信する。また、台管理装置７８は、ＬＡＮ７１を介して中央管理装置８０等から所定の制御信号を受信すると、演出用音声抑制信号や告知音声制御信号を、データ表示ユニット７４経由でパチンコ遊技機１へ送信する。すなわち、台管理装置７８は、本発明に係る演出用音声抑制装置を構成するものである。
【００４９】
島管理装置７９は遊技島７２毎に一台ずつ設けられる。この島管理装置７９は、複数の台管理装置７８と接続されており、これらの装置と中央管理装置８０との通信を中継する。島管理装置７９は、パチンコ遊技機用の遊技島に限らず、スロットマシン用の遊技島にも設置可能なものである。
【００５０】
中央管理装置８０は、各島管理装置７９と互いに通信可能に接続されたホールサーバー８１と、ホールサーバー８１に接続されたホールコンピュータ８２とで構成されている。ここで、ホールサーバー８１は、複数の島管理装置７９から出力される各種情報を受信して遊技島７２毎及びパチンコ遊技機１毎にデータを記憶する。ホールコンピュータ８２は、遊技場設備７０の各種装置を統括的に管理するものであり、遊技場内を撮影する監視カメラを備える監視システム８５や、緊急地震速報を受信するための緊急地震速報受信機８６とも接続されている。遊技場の店員は、ホールコンピュータ８２を用いてホールサーバー８１に蓄積されたデータを読み出すことができ、また、監視カメラの映像をチェックしたりすることができる。
【００５１】
データ表示ユニット７４は、遊技島７２にあって各パチンコ遊技機１の直上位置に設けられ、各種情報を遊技者に表示する。このデータ表示ユニット７４は、パチンコ遊技機１及び台管理装置７８と直接接続されており、パチンコ遊技機１の出力する大当り信号等を台管理装置７８に中継するとともに、台管理装置７８が出力する演出用音声抑制信号や告知音声制御信号をパチンコ遊技機１に中継する。
【００５２】
また、遊技場設備７０は、管理事務所等に設置される場内放送用マイク装置８３と、場内の各所に設置されて場内放送用マイク装置８３の音声を拡声する場内スピーカ８４とを備えている。ここで、場内放送用マイク装置８３は、前記ＬＡＮ７１に接続されており、制御信号によって場内の各台管理装置７８を制御することで、場内の全てのパチンコ遊技機１に対して第一演出用音声抑制信号及び第二演出用音声抑制信号を送信し得るよう構成されている。すなわち、かかる構成によれば、遊技場のスタッフは、重要度の高い情報を告知する場合には、場内放送用マイク装置８３を操作して、場内のパチンコ遊技機１の演出用音声の音量を抑制することで、音声告知する情報を遊技者に確実に聞き取らせることができる。
【００５３】
また、かかる遊技場設備７０では、ホールコンピュータ８２は、場内に設置された各台管理装置７８の設置場所とネットワークアドレスのテーブルを記憶しており、制御信号によってＬＡＮ７１経由で各台管理装置７８を制御することで、場内の任意のパチンコ遊技機１に対して第一告知音声制御信号及び第二告知音声制御信号を送信し得るよう構成されている。
【００５４】
具体的には、遊技場のスタッフは、監視システム８５で台を叩いたりしている遊技者を発見した場合には、ホールコンピュータ８２を操作して、当該パチンコ遊技機１に接続された台管理装置７８を制御することで、当該パチンコ遊技機１のスピーカ６ａ〜６ｃに「台を叩かないで下さい。」という告知音声を出力させて、台を叩いている遊技者に対して警告を行うことができる。かかる告知音声は、遊技者正面に位置するスピーカ６ａ〜６ｃから出力されるため、当該遊技者の不正行為に対する抑止力が高く、また、告知音声の出力と同時に、当該パチンコ遊技機１の演出用音声の音量を抑制することで、告知音声を際立たせ、遊技者に効果的な警告を行うことができる。
【００５５】
また、かかる遊技場設備７０にあって、ホールコンピュータ８２は、緊急地震速報受信機８６を介して緊急地震速報を受信すると、場内全ての台管理装置７８を制御して、各パチンコ遊技機１に対して第二告知音声制御信号を送信させる。このため、かかる遊技場設備７０では、緊急地震速報が発令されると、場内の各パチンコ遊技機１から「近くで地震が発生しました。強い揺れに注意して下さい。」という告知音声が速やかに出力されることとなり、遊技中の遊技者は地震に対する警戒を遅滞無く行うことができる。かかる告知音声は、遊技者正面に位置するスピーカ６ａ〜６ｃから出力されるため、当該遊技者にとって聞き取り易いものであり、また、告知音声の出力と同時に、当該パチンコ遊技機１の演出用音声の音量が消音されるため、遊技者は、地震発生情報を聞き逃すことがない。
【００５６】
また、ホールコンピュータ８２は、各パチンコ遊技機１が出力する大当り信号をＬＡＮ７１経由で受信可能に構成されており、大当り信号を受信すると、当該大当り信号を出力した両隣のパチンコ遊技機１へ第一演出用音声抑制信号を一定時間（例えば３０秒）送信し、両隣の機台の演出用音声を一定時間音量低下させる。このように、ホールコンピュータ８２は、両隣の機台の演出用音声を低下させることで、大当りが発生した機台の演出用音声を、音量増大することなく強調することができ、大当りした遊技者の喜びを、騒音レベルを増大させずに強く刺激できる。すなわち、本発明に係る大当り時音声強調装置は、ホールコンピュータ８２によって構成される。
【００５７】
なお、本発明のパチンコ遊技機及び遊技場設備は、上記実施例の形態に限らず本発明の要旨を逸脱しない範囲内において種々変更を加えることができる。
【００５８】
例えば、実施例のパチンコ遊技機１では、演出用音声抑制信号が、外部端子基板６９を介して音源制御基板６６に送信されるようになっているが、かかる構成に限らず、演出用音声抑制信号を音源制御基板６６に直接入力するようにしてもよいし、音源制御基板６６を上流で制御する主制御基板６０や演出制御基板６２に演出用音声抑制信号を送信するようにしてもよい。
【００５９】
また、上記実施例では、演出用音声抑制信号を受信している間は、演出用音声を音量低下又は消音するようにしているが、例えば、演出用音声抑制信号を一度受信すると音量の低下や消音を所定時間（例えば３０秒間）継続するようにしてもよい。
【００６０】
また、パチンコ遊技機が、告知音声制御信号の受信によって出力する告知音声は、実施例の態様に限らず、その内容や種類は適宜変更可能である。
【符号の説明】
【００６１】
１  パチンコ遊技機
６ａ〜６ｃ  スピーカ
２２  基板ケース
２４  調節ツマミ
６６  音源制御基板
６９  外部端子基板
７０  遊技場設備
７８  台管理装置
８１  ホールサーバー
８２  ホールコンピュータ
８３  場内放送用マイク装置
８４  場内スピーカ
８５  監視システム
８６  緊急地震速報受信機
【図１】
2012192110.tif 000003
【図２】
2012192110.tif 000004
【図３】
2012192110.tif 000005
【図４】
2012192110.tif 000006
【図５】
2012192110.tif 000007
【図６】
2012192110.tif 000008